(57)【要約】  複数の用紙を含むパッドであって、各用紙は、第１面、第２面、及び外辺縁部を有し、用紙は、積層された形態に構成され、下の用紙の第１面は上の用紙の第２面に向けられ、その積層された構成において剥離可能に結合されている。このパッドは、上の用紙が下の用紙よりも張り出しているめくり取り部を有する。
2015506291.tif 000002
【特許請求の範囲】
【請求項１】
複数の用紙を含むパッドであって、各用紙は、第１面、第２面、及び外辺縁部を有し、前記用紙は、積層された形態に構成され、下の用紙の第１面は上の用紙の第２面に向けられ、前記積層された構成において剥離可能に結合されており、前記ノートパッドは上の用紙が下の用紙より張り出しているめくり取り縁部を有する、パッド。
【請求項２】
前記用紙が、それらの前記外辺縁部が揃えられて構成されている、請求項１に記載のパッド。
【請求項３】
各用紙の前記外辺縁部が、側縁部及びめくり取り縁部を含み、前記用紙が、それらの前記側縁部が前記用紙に略垂直の線を画定するように構成されている、請求項２に記載のパッド。
【請求項４】
各用紙が、その前記第２面において接着部分を有する、請求項１に記載のパッド。
【請求項５】
前記積層体において前記用紙を剥離可能に結合するパッド化合物を更に含む、請求項１に記載のパッド。
【請求項６】
各下の用紙の長さが、そのような下の用紙の上にある用紙の長さよりも順次、所定増分ずつ短くなっている、請求項１に記載のパッド。
【請求項７】
前記用紙のそれぞれが、略同様の形状及び寸法である、請求項１に記載のパッド。
【請求項８】
前記用紙の寸法が、上から下へ、順次、所定増分ずつ小さくなる、請求項１に記載のパッド。
【請求項９】
安定化要素を更に含む、請求項１に記載のパッド。
【請求項１０】
前記用紙の少なくとも一部の前記第１面が書き込み可能である、請求項１に記載のパッド。
【請求項１１】
前記用紙の少なくとも一部の前記第１面が、予め印刷された説明を有する、請求項１に記載のパッド。
【発明の詳細な説明】
【技術分野】
【０００１】
本発明は、ノートパッド、具体的には、片手で容易にめくり取ることができるノートパッドに関する。
【背景技術】
【０００２】
積層され、剥離可能に結合された複数の紙を含むノートパッドは、よく知られている。一部実施形態において、用紙は、それらの片側で、パッド化合物により、積層された構成で剥離可能に結合されている。一部実施形態において、用紙は、各用紙の底側で、再付着性接着剤により、積層された構成で剥離可能に結合されている。３Ｍ  ＣｏｍｐａｎｙのＰｏｓｔ−ｉｔ（登録商標）Ｒｅｐｏｓｉｔｉｏｎａｂｌｅ  Ｎｏｔｅｓは、そのような製品のよく見る例である。
【０００３】
ほとんどの従来の実施形態において、積層体の用紙のサイズは均一であり、垂直に積層されている。一部実施形態において、パッドの１つ以上の縁部では斜角が付いている、すなわち、連続する用紙がより長くなっており、例えば、パッドの斜縁に、また一部実施例では斜縁に隣接する各用紙の部分に印刷物を付与すること等によってパッドの見た目を美しくしている。実例が開示されているのは、米国特許第３，８１７，４９２号（Ｒａｙｍｅｒ）、同第４，９５１，５６９号（ＭｃＮａｂら）、同第６，４９４，９８１号（Ｃｈｅｎ）、及び同第６，７９４，００２号（Ｓｈｉｎｂｏ）、及び米国特許出願公開第２００４／００１６１５号（Ｔｓａｉ）、同第２００８／０１２８０７５号（Ｈｏ）、及び同第２００９／０２０８６８６号（Ｈｏ）である。図１は、パッド１００が複数の用紙１２ａ、１２ｂその他の積層体を含む、従来技術の例示的ノートパッドの側面図である。パッド１００は、一番下の用紙１２ｚの下にある任意の裏面用紙１４を更に含む。当該技術分野で周知の通り、用紙は、例えば、各用紙の第２面における接着剤２０により、又は積層の縁部におけるパッド化合物若しくは部材（図示せず）により、積層された構成で剥離可能に結合してもよい。剥がし若しくはめくり取り部又は縁部１７を手でつまむことによって、用紙は積層体から剥がされる。図２は、パッド２００が複数の用紙１２ａ、１２ｂ等の積層体を含む、従来技術の他の例示的ノートパッドの側面図である。パッド２００は、一番下の用紙１２ｚの下にある裏面用紙１４を更に含む。当該技術分野において周知の通り、積層の１つの縁部におけるパッド化合物１５によって、用紙は積層された構成で剥離可能に結合されてもよい。積層は剥がし又はめくり取り部１８において、連続する下の各用紙が上の用紙よりも大きいように斜角が付いている。米国特許第３，８１７，４９２号、同第４，９５１，５６９号、及び同第６，４９１，９８４号に開示の通り、デザイン、図版、又はその他のしるし若しくは説明をそのような斜角の付いた部分に付与してもよい。
【０００４】
従来のノートパッドの課題は、パッドから個々に剥がせるように、一番上の用紙のみをつまむのが難しいことが多い点である。親指又は他の指で一番上の用紙を下の用紙から分離し持ち上げるのが難しい場合があり、多くの場合、何度かつまもうとしなければならず、その結果、剥がされた用紙及び下の用紙の一部分は傷んで汚れることになる。この課題に対する１つの解決策は、裏面に接着剤の付いた用紙をＺ形積層に構成して、一番上の用紙を個々につまんで剥がすのを簡単にした、いわゆるポップアップ式ノートパッドを提供することであった。実例は、米国特許第４，７８１，３０６号（Ｓｍｉｔｈ）に開示されている。
【発明の概要】
【発明が解決しようとする課題】
【０００５】
用紙を容易にかつきれいに剥がすことができるノートパッドが必要とされている。
【課題を解決するための手段】
【０００６】
本発明は、個々の用紙を単純な手の動きで容易にめくり取ることができるノート又はメモパッドを提供する。
【０００７】
要約すると、本発明のノートパッドは、複数の用紙を含み、各用紙は第１面、第２面、及び外辺縁部を有し、用紙は、積層された形態に構成され、下の用紙の第１面は上の用紙の第２面に向けられ、その積層された構成において剥離可能に結合されている。ノートパッドは、上の用紙が下の用紙よりも張り出している、すなわち、パッドのめくり取り部における上の用紙の外辺縁部が下の用紙のそれに対応する縁部を越えて延びる、めくり取り部を有する。
【０００８】
本発明のノートパッドは、驚くべき利便性と使い易さを提供する新規の構成を有する。
【図面の簡単な説明】
【０００９】
本発明について、図面を参照して更に説明することにする。
【図１】従来技術の例示的ノートパッドの側面図である。
【図２】従来技術の例示的ノートパッドの側面図である。
【図３】本発明のノートパッドの例示的実施形態の側面図である。
【図４】本発明のノートパッドで使用する用紙の例示的実施形態の斜視図である。
【図５】本発明のノートパッドの別の例示的実施形態の側面図である。
【図６ａ】本発明のノートパッドの例示的実施形態の斜視図である。
【図６ｂ】従来技術の例示的ノートパッドの斜視図である。
【００１０】
これらの図は一定の縮尺ではなく、また、単に説明のためのものであって限定するものではない。全体を通して同様の構成要素には同様の参照符号を使用する。
【発明を実施するための形態】
【００１１】
明確にすることを目的とし、不当に限定する意図はないが、２枚の順次積層された用紙の任意の群における用紙を、それぞれ上の用紙及び下の用紙と称し、下の用紙の表の面又は第１面を上の用紙の第２面又は裏面に向ける。
【００１２】
複数の用紙１２ａ、１２ｂ以下を含む、本発明の例示的ノートパッド３００を図３に示す。各用紙は、第１面又は表の面１６ａ、１６ｂ以下、及び第２面又は裏面１８ａ以下を有する。用紙は積層された形態で構成され、下の用紙の第１面１６ｂは上の用紙の第２面１８ａに向けられるが、例外として、一番下の用紙１２ｚの第２面１８ｚは、任意の裏面用紙１４に向けられる。図示された実施形態において、用紙は前記積層された構成でパッド化合物１５により剥離可能に結合されている。
【００１３】
あるいは、各用紙の裏面の部分において接着剤を使用することにより、用紙は積層された構成で剥離可能に結合され得る。使用の際、そのような用紙を積層体から剥がすと、用紙は所望のとおり接着剤で被着体に接着し得る。表の面１６ａ及び裏面１８ａを有する用紙１２ａの例示的実施形態を図４に示す。本実施形態において、めくり取り縁部３６の反対側の側縁部３２に対して略平行に延びるストリップ又はセグメントの形態で、任意の再付着性接着剤２０を用紙１２ａの裏面の一部に配置する。パッドの構成に積層されると、そのような接着剤は下の用紙の表の面に接着し（図示せず）、次いでパッドから剥がすと、接着剤は用紙を被着体に所望するように固定する接着性を提供する。そのようなパッドは、図３に示す実施形態と同様であろうが、パッド化合物を有しておらず、用紙は、その第２面又は裏面に接着剤を有するであろう。
【００１４】
使用する場合、好適な接着剤の選択は、所望の用途に一部依存する。積層体中の下の用紙に剥離可能な接着性を提供することに加えて、接着剤は、例えば、目的とする被着体に再付着性、１回剥がすことができる接着性、又は永久接着性といった所望の接着性を提供しなければならない。好適な接着剤は、感圧接着剤、熱活性化接着剤、光線活性化接着剤、及び化学活性化接着剤からなる群から選択できる。
【００１５】
用紙をパッドから剥がすと、その用紙の裏面の接着剤は下の用紙の表の面から優先的に剥離し、剥がされている用紙の裏面に残っていなければならない。当業者は、例えば、接着剤組成物を配合し、用紙の表の面の対象部分に剥離促進コーティングを塗布し、用紙裏面の対象部分に接着促進コーティングを塗布すること等によって、そのような接着性能を容易に達成できる。パッドからの剥離後、接着剤は被着体に対して所望の接着性を提供するべきである。一部の好ましい実施形態において、接着剤は、３Ｍ  Ｐｏｓｔ−ｉｔ（登録商標）Ｎｏｔｅｓで使用されている接着剤のような再付着性を提供するよう選択される。
【００１６】
裏面における接着剤を塗る部分の大きさは、意図された用途に一部基づいて選択される。再付着性メモ等の多くの用途では、接着剤は、例えば、通常、約０．６〜約２センチメートル（約０．２５〜約０．７５インチ）の範囲のストリップとして塗布される。一部の他の実施形態においては、接着剤は用紙裏面のより広い部分に及び、例えば、実質的に用紙裏面の大部分に及ぶが、めくり取り縁部３６に隣接する部分には及ばないことが多い。
【００１７】
本発明のパッドの用紙は、通常、例えば、紙、金属フィルム、プラスチックフィルム、及びこれらの多層の組み合わせといった、柔軟な材料を含む。用紙の材料は、所望の用途にかなり依存して選択される。例えば、通常、用紙の材料は、パッド積層体から破断することなく剥離可能であるよう十分な引張り強度を示さなければならず、パッド積層体から剥がされ、所望であれば、被着体に貼付された後に平らに置かれるように、ある程度の曲げに耐える好適な寸法安定性を有し、温度及び湿度等、意図された所望の使用条件に耐えることができる。
【００１８】
当業者は、苦労も過度の努力もなく、本発明において使用するための好適な用紙材料を、容易に選択できるであろう。好適な坪量、色、柔軟性、引張り強度、折り曲げ性等を有する多くの市販されている紙及びその他の用紙材料は、本発明において使用するのに好適な用紙材料に含まれる。
【００１９】
少なくとも一部、及び通常は好ましくは全ての用紙の表の面１６ａは、通常、書き込み可能な面であり、例えば、マーカー、ペン、及び鉛筆等の筆記用具で書く用途を受け入れる。一部実施形態において、表の面１６ａには、例えば、ビジネスロゴ、「（メモを書いた誰それ）より」、クーポン情報、買い物リストのカテゴリーと品目等、予め印刷された文言が記載されていてもよく、また、所望であれば、書き込み可能であってもよい。
【００２０】
図４を参照すると、用紙１２ａは、本例では３つの側縁部３０、３２、３４及びめくり取り縁部３６を含む外辺縁部を有する。図示された実施形態において、側縁部のそれぞれは直線であり、めくり取り縁部３６は湾曲している。所望により、１つ以上の側縁部は湾曲していても直線であってもよく、めくり取り縁部は直線であってよい。所望であれば、積層体の用紙が含む側縁部は、より少なくてもより多くてもよい。
【００２１】
図３を見ると、本発明に従い、用紙は、上の用紙のめくり取り縁部が下の用紙よりも張り出しているめくり取り部２２をノートパッドが有するように、ノートパッドに積層されている。このように構成されている場合、最も上にある用紙のめくり取り縁部は、片手で容易に捉えてつまんでパッドから剥がすことができる。
【００２２】
通常の実施形態において、用紙は、それらの外辺縁部が揃うように構成される。揃え方は、積層された用紙の外辺縁部が、パッドのめくり取り部分における用紙のめくり取り縁部を除いて、用紙の平面に対して略垂直の線を画定するようであってよく、また、所望であれば、積層体の異なる部分で、めくり取り部分の外側にある積層された用紙の各外辺縁部が垂直の方向付けから相殺された線を画定できるようであってよい。本発明に従い、用紙のめくり取り部分の中の外辺縁部は、線を画定し、上の用紙は本明細書に記載の通り張り出している。当業者には理解されるように、積層された用紙の集合的外辺縁部及びパッド化合物の露出側を含むパッドの側部は、もしあるとすれば、それらの上に所望のしるし、画像、又はその他のグラフィックを有してもよい。
【００２３】
一部実施形態において、用紙は、本明細書に記載のめくり取り部分を有する積層体に構成された場合、積層体の反対部分において、一番上の用紙から一番下の用紙まで連続する用紙の外辺縁部が、次第に外に広がるように、ほぼ均一の形状及びサイズであってよい。
【００２４】
上の用紙のめくり取り縁部が下の用紙のめくり取り縁部を越えて延びる下の切り取り部分の厳正度及び度合いは、当業者によって容易に選択可能である。下の切り取り部分又は斜角の度合いが小さすぎる場合、一番上の用紙を一枚、容易に選択するための強化した能力は、減じられるか、あるいは実現されない。下の切り取り部分又は斜角の度合いが大きすぎる場合、時間の経過とともに積層体の用紙が弓状になり、積層体の外観が美的観点から望ましくないものになる傾向が生じ得る。従来の用紙を使用した多くの実施形態では、下の切り取り部分の角度は約１０°〜約８０°が有用であり、約３０°〜約６０°の範囲が好ましい場合が多く、約４０°〜約６０°の範囲が最も好ましい。
【００２５】
本発明のパッドは、米国特許第３，８１７，４９２号（Ｒａｈｍｅｒ）、同第４，９５１，５６９号（ＭｃＮａｂら）、又は同第６，４９４，９８１号（Ｃｈｅｎ）に記載のように、例えば、積層体パッドに斜角縁部を切ること、また、代わりに、本発明に従い、斜角の向きを反対にして、上の用紙のめくり取り縁部が下の用紙のめくり取り縁部を越えて延びるようにすること等によって、既知の技術を使用して製造し得る。裁断工程中パッドを効率的に折ることが難しい場合がある用紙裏面に比較的広い接着剤部分を含む実施形態では、所望の斜角及びめくり取り縁部を作るために、選択された角度でパッドに向けられたギロチン裁断装置の使用が、より好適であり得る。
【００２６】
好ましい実施形態において、パッドは、一番上の用紙を剥がす際にパッドに安定性を付与する安定化要素を更に含んでもよい。例えば、パッドがディスペンサに取り付けられて、例えば一番下の用紙が、重し付き部材、机の上等に接着してもよい。図３では、パッド３００は、取り付け機構２８によって裏用紙１４の底側に取り付けられた保持フィルム２６を含む取り付けシステム２４を更に含む。そのような取り付けシステムは米国特許第８，２６１，９３７号（Ｂｏｄｚｉａｋら）に開示されている。本発明のパッドを所望により、例えば、壁及び商品棚等の若干直立した面、自動車用サンバイザー等の頭上の面、キャビネット棚の底など、その他の向きの支持体に取り付けてもよい。当然のことながら、パッドは、例えばもしあればパッド化合物を介するなど、その底側で又はパッドの側縁部を介して取り付けられてもよい。
【００２７】
図６ａ及び６ｂは、それぞれ、本発明のノートパッド及び従来技術のノートパッドの例示的実施形態を示す。図６ａにおいて、めくり取りゾーン２２における用紙の縁部３６は、本発明により、張り出した構成になっている。本実施形態では、用紙のその他の外辺縁部は、従来の構成になっており、すなわち、互いに平行で積層体の全体的平面に垂直になっている。本実施形態において、用紙の縁部３６は湾曲している。図６ｂにおいて、用紙の側縁部全ては、従来の構成になっており、すなわち、剥離部１７の縁部を含め、互いに平行で、積層体の全体的平面に垂直になっている。本実施形態では、剥離部における用紙縁部は直線である。
【００２８】
便宜上、本発明はノートパッドを参照して説明した。本発明のパッドは、例えば名札、販売店クーポン等、メモ以外の目的で使用してもよいことが理解されるであろう。
【００２９】
添付図面を参照しながら、本発明を、その好ましい実施形態と関連付けて十分に説明したが、様々な変更及び修正が当業者に明らかであることに留意されたい。そのような変更及び修正は、添付された特許請求の範囲によって定められるような本発明の範囲から逸脱しない限り、これに含まれるものと理解すべきである。本明細書に引用される全ての特許、特許書類、及び刊行物の完全な開示が、参照により組み込まれる。
【図１】
2015506291.tif 000003
【図２】
2015506291.tif 000004
【図３】
2015506291.tif 000005
【図４】
2015506291.tif 000006
【図５】
2015506291.tif 000007
【図６ａ】
2015506291.tif 000008
【図６ｂ】
2015506291.tif 000009
【国際調査報告】
2015506291.tif 000010
2015506291.tif 000011